(57)【要約】      （修正有）【課題】簡便な構成として、内圧上昇を抑制でき、また、容易に取付可能で、かつ、取付後の不用意な外れを防止できる排水用ます等の蓋の取付構造を提供する。【解決手段】排水用のます１０若しくはマンホールの開口部２３に装着される略円板状の蓋４０の取付構造である。蓋は、開口部の内周側に設けられた係止突条部２５の受面２９に支持される支持面４２を、蓋本体４１の外周縁に備え、かつ、蓋の上方への抜けを規制可能に、係止突条部の下面３０を係止する二つの係止爪４５を備える。二つの係止爪４５は、蓋の中心ＣＣを基準とした相互の離隔角度を１８０°未満の角度として配設され、装着後の蓋の上方への押圧力の作用時、係止突条部の係止を維持して蓋の開口部からの外れを規制した状態として、蓋を傾斜させつつ、蓋における二つの係止爪から離れた外周縁４２ａを受面２９から上方へ離脱させるように、配設される。【選択図】図８
0003179743.tif 000002
【実用新案登録請求の範囲】
【請求項１】
排水用のます若しくはマンホールの開口部に装着される略円板状の蓋の取付構造であって、
前記開口部が、略円筒状の縦管部の上端の内周側に配設されて、
前記縦管部の上端の内周に、上面を前記蓋の外周縁の下面を受け止め可能な受面とし、かつ、該受面上方に前記蓋を収納可能な凹部を設けて、内側に突出する係止突条部が、略全周にわたって配設され、
前記蓋が、前記係止突条部の前記受面に支持される支持面を、蓋本体の外周縁の下面に配設させるとともに、前記蓋の上方への抜けを規制可能に、前記係止突条部の下面を係止する二つの係止爪を、前記蓋本体の外周縁近傍の下面に配設させて構成され、
二つの前記係止爪が、それぞれ、前記蓋本体から下方に延びる軸部と、前記係止突条部の下面を係止可能に、前記軸部の下端から屈曲して外方へ延びる鉤部と、を備えて構成され、さらに、
前記蓋の前記開口部への装着時に、前記蓋を、前記開口部の中心からずれた位置の上方から、前記開口部の開口面に略沿わせて、ずれ移動させつつ下降させ、二つの前記係止爪の鉤部を、前記係止突条部の内周側を経て、前記係止突条部の下方に位置させ、さらに、前記係止突条部を係止可能な前記係止突条部の下面の下方における係止位置に、配置させて、前記開口部に装着可能に、
二つの前記係止爪が、
前記蓋の中心を基準とした相互の離隔角度を１８０°未満の角度として配設されるとともに、
装着後の前記蓋の上方への押圧力の作用時、前記係止突条部の係止を維持して前記蓋の前記開口部からの外れを規制した状態として、前記蓋を傾斜させつつ、前記蓋における二つの前記係止爪から離れた外周縁を前記受面から上方へ離脱させるように、配設されていることを特徴とする蓋の取付構造。
【請求項２】
二つの前記係止爪が、前記蓋の中心を基準とした相互の離隔角度を９０〜１４０°の範囲内として、配設されていることを特徴とする請求項１に記載の蓋の取付構造。
【請求項３】
二つの前記係止爪が、
前記蓋の中心を基準とした相互の離隔角度を９０〜１４０°の範囲内とし、かつ、
装着後の前記蓋の上方への押圧力の作用時における前記蓋の傾斜角度を１〜１５°の範囲内とするように、
配設されていることを特徴とする請求項１に記載の蓋の取付構造。
【請求項４】
前記蓋が、鋳鉄製としていることを特徴とする請求項１乃至請求項３のいずれか１項に記載の蓋の取付構造。
【請求項５】
前記蓋本体の裏面に、補強用リブが突設されていることを特徴とする請求項１乃至請求項４のいずれか１項に記載の蓋の取付構造。
【考案の詳細な説明】
【技術分野】
【０００１】
本考案は、雨水、汚水、雑排水等の排水用のます若しくはマンホールの開口部に装着される略円板状の蓋の取付構造に関する。
【背景技術】
【０００２】
従来、この種の排水用のますの開口部に装着される蓋の取付構造では、バヨネット結合のように、補助ます等の上方へ立ち上がる略円筒管部の上端の内周側に、係止凸部が、周方向に断続的に形成されていた。また、蓋側には、円板状の蓋本体の下面から、開口部内に挿入される円筒状の筒部が突設され、かつ、筒部の外周面に、係止凸部間に挿通可能で、かつ、挿通後に蓋を回転させて係止凸部の下面を係止可能な係止爪部が、形成されていた（例えば、特許文献１参照）。
【０００３】
このような蓋の取付構造では、蓋を略円筒管部の開口部に挿入させて回転させれば、係止爪部を係止凸部に係止させて、蓋を、ロックするようにして、開口部に装着することができた。
【先行技術文献】
【特許文献】
【０００４】
【特許文献１】実公昭６３−２３４９８号公報
【考案の概要】
【考案が解決しようとする課題】
【０００５】
しかし、従来の取付構造では、図１２に示すように、ゲリラ豪雨Ｒ等の一時的に多量の降水があった際に、下水本管側からの逆流等によって、排水ます６０内の水位が上昇する場合があり、その際、蓋６１がロックされていれば、排水ます６０内の内圧が、蓋６１による密封状態によって上昇し、屋内の種々の器具のトラップ封水を吹き上げてしまう事態を生じさせてしまう。
【０００６】
ちなみに、この点を考慮せずに、ロック機構を設けずに、単に、シール材を利用して、開口部に嵌め込むように蓋を装着しても、図１３に示すように、ゲリラ豪雨Ｒ等で、排水ます７０の周囲に雨水Ｗが溜まれば、蓋７１が外れ、さらに、その蓋７１が軽量な合成樹脂から形成されていれば、雨水Ｗに流されて、排水ます７０が蓋７１のない状態となり、歩行者の脚が排水ます７０内に嵌り、歩行者を転倒させてしまう事態を招きかねない。
【０００７】
本考案は、上述の課題を解決するものであり、簡便な構成として、内圧上昇を抑制できるとともに、容易に取り付けることができ、かつ、取付後の不用意な外れを防止できる蓋の取付構造を提供することを目的とする。
【課題を解決するための手段】
【０００８】
＜請求項１の説明＞
本考案に係る蓋の取付構造は、排水用のます若しくはマンホールの開口部に装着される略円板状の蓋の取付構造であって、
開口部が、略円筒状の縦管部の上端の内周側に配設されて、
縦管部の上端の内周に、上面を蓋の外周縁の下面を受け止め可能な受面とし、かつ、受面上方に蓋を収納可能な凹部を設けて、内側に突出する係止突条部が、略全周にわたって配設され、
蓋が、係止突条部の受面に支持される支持面を、蓋本体の外周縁の下面に配設させるとともに、蓋の上方への抜けを規制可能に、係止突条部の下面を係止する二つの係止爪を、蓋本体の外周縁近傍の下面に配設させて構成され、
二つの係止爪が、それぞれ、蓋本体から下方に延びる軸部と、係止突条部の下面を係止可能に、軸部の下端から屈曲して外方へ延びる鉤部と、を備えて構成され、さらに、
蓋の開口部への装着時に、蓋を、開口部の中心からずれた位置の上方から、開口部の開口面に略沿わせて、ずれ移動させつつ下降させ、二つの係止爪の鉤部を、係止突条部の内周側を経て、係止突条部の下方に位置させ、さらに、係止突条部を係止可能な係止突条部の下面の下方における係止位置に、配置させて、開口部に装着可能に、
二つの係止爪が、
蓋の中心を基準とした相互の離隔角度を１８０°未満の角度として配設されるとともに、
装着後の蓋の上方への押圧力の作用時、係止突条部の係止を維持して蓋の開口部からの外れを規制した状態として、蓋を傾斜させつつ、蓋における二つの係止爪から離れた外周縁を受面から上方へ離脱させるように、配設されていることを特徴とする。
【０００９】
本考案に係る蓋の取付構造では、蓋を、開口部の中心からずれた位置の上方から、開口部の開口面に略沿わせて横方向にずれ移動させつつ下降させ、二つの係止爪の鉤部を、係止突条部の内周側を経て、係止突条部の下方に位置させ、さらに、係止突条部を係止可能な係止突条部の下面の下方における係止位置に、配置させれば、開口部を塞ぐように蓋を装着できる。すなわち、単に、二つの係止爪側の蓋本体の外周縁を、開口部側に部分的に挿入させるように、蓋本体を傾斜させつつ、ずらし、かつ、下降させるだけで、簡単に、蓋を取り付けることができる
また、蓋の装着後、ゲリラ豪雨等で下水本管からの逆流により、縦管部内の圧力が高まっても、蓋が持ち上がるものの、その状態は、二つの係止爪の鉤部が、係止突条部の下面に当接し、その当接部位を支点として、係止爪から遠い側の蓋本体の外周縁を、部分的に、係止突条部の受面から上方に離脱させるように、蓋を傾斜させる状態となって、その蓋本体の外周縁と受面との間から内部の空気や雨水を外部に逃すことができて、屋内の排水管側に圧力を掛けることを防止できることから、排水トラップの破封を防止できる。
【００１０】
そしてこの時、蓋が傾斜しても、二つの係止爪の鉤部が、係止突条部の下面を係止しているため、蓋自体は、開口部から外れず、縦管部内の内圧上昇が収まれば、蓋が下降して、蓋本体の外周縁の下面を係止突条部の受面に当接させることとなり、蓋による開口部の閉塞状態を維持できる。
【００１１】
また、蓋は、単に、上方に引き上げるだけでは、二つの係止爪の鉤部が、係止突条部の下面を係止する状態のままであって、簡単に外れず、不用意な外れが防止され、蓋の盗難の虞れも生じ難い。
【００１２】
勿論、蓋の開口部からの取り外しは、装着時と逆の操作として、二つの係止爪から離れた蓋本体の外周縁を持ち上げつつ、開口部の開口面に沿ってずらせば、二つの係止爪が、係止位置から離脱して、係止突条部の内周側に配置され、さらに、開口部から外れて、簡単に、蓋を取り外すことができる。
【００１３】
そして、上記の作用は、単に、蓋の外周縁近傍に、相互の離隔角度を１８０°未満として、二つの係止爪を配設するだけで、達成でき、極めて、簡便に構成することができる。
【００１４】
＜請求項２の説明＞
本考案に係る蓋の取付構造では、二つの係止爪が、蓋の中心を基準とした相互の離隔角度を９０〜１４０°の範囲内として、配設されていることが望ましい。
【００１５】
このような構成では、蓋の取付・取外しを容易な状態として、縦管部の内圧上昇時に、不要な外れを防止し、安定した係止突条部の係止状態を確保して、内部の空気や雨水を外部に流出可能に、蓋を傾斜させて開かせることができる。
【００１６】
すなわち、二つの係止爪の相互の離隔角度が１４０°を越えるように、１８０°に接近する場合には、蓋の装着時における開口部の開口面に沿ってずらして、係止爪を係止突条部の内周側を経て、係止突条部の下方に配置させる際、軸部からの鉤部の突出量が小さくないと（換言すれば、係止爪の鉤部における係止突条部を係止する係止代が小さくないと）、配置できなくなり、そのため、係止爪の鉤部における係止突条部を係止する係止代が小さくなって、安定して、蓋を係止突条部に係止させておことができない。
【００１７】
また、二つの係止爪の相互の離隔角度が９０°未満と小さくなれば、二つの係止爪から離れた蓋本体の外周縁を引き上げる際、大きく引き上げることができて、簡単に、蓋を開けることができる事態を招いてしまう。
【００１８】
すなわち、二つの係止爪から離れた蓋の外周縁を持ち上げる際、二つの係止爪に近い側の蓋の外周縁の下面における係止突条部の受面に当接する部位が、傾斜時の回転中心となり、そして、持ち上げられる蓋の傾斜角度は、係止爪の鉤部が係止突条部の下面に当接して規制されるまでの角度となる。その際、蓋を装着した際の係止爪の鉤部と係止突条部との間の隙間が同じとしていれば、二つの係止爪の離隔角度が９０°以上としている場合に比べて、二つの係止爪の離隔角度が９０°未満の場合には、蓋の傾斜の回転中心から二つの係止爪までの距離が短くなり、二つの係止爪から離れた蓋の外周縁側が、大きく持ち上がって、蓋の傾斜角度が大きくなり、横方向にずらすこと無く、蓋を取り外すことができてしまう虞れが生じ、不用意に外れる事態を招いてしまい、好ましくないからである。
【００１９】
＜請求項３の構成＞
そして、本考案に係る蓋の取付構造では、二つの係止爪が、蓋の中心を基準とした相互の離隔角度を９０〜１４０°の範囲内としている場合、装着後の蓋の上方への押圧力の作用時における蓋の傾斜角度を１〜１５°の範囲内とするように、配設することが望ましい。
【００２０】
蓋が１５°を超えるように傾斜しては、蓋の傾斜角度が大きくなり、横方向にずらすこと無く、蓋を取り外すことができてしまう虞れが生ずるからである。
【００２１】
また、蓋を、開口部の開口面に略沿ってずらしつつ、開口部に取り付けたり、あるいは、取り外すことができても、蓋の許容される傾斜角度が１°未満では、装着後の縦管部内の内圧上昇時に、空気や雨水の逃し量を十分確保できず、屋内側に圧力をかけてしまう虞れが生じ、好ましくないからである。
【００２２】
＜請求項４の説明＞
本考案に係る蓋の取付構造では、蓋は、鋳鉄製としていることが望ましく、蓋が重量のある鋳鉄製としていれば、縦管部の周囲に雨水が溜まっても、軽量な合成樹脂製の蓋より、蓋が不用意に流されてしまう虞れが生じない。
【００２３】
＜請求項５の説明＞
本考案に係る蓋の取付構造では、蓋本体の裏面に、補強用リブを突設させることが望ましい。
【００２４】
このような構成では、蓋の曲げ剛性が高まり、重量物が載っても、蓋の割れや曲りを防止できる。
【考案の効果】
【００２５】
本考案に係る蓋の取付構造では、簡便な構成として、内圧上昇を抑制できるとともに、容易に取り付けることができ、かつ、取付後の不用意な外れを防止することができる。
【図面の簡単な説明】
【００２６】
【図１】本考案の一実施形態に使用する蓋の平面図である。
【図２】実施形態の蓋の正面図である。
【図３】実施形態の蓋の底面図である。
【図４】実施形態の蓋を縦管部（ます枠）に装着する状態を順に示す部分破断概略正面図である。
【図５】実施形態の蓋を縦管部（ます枠）に装着する状態を順に示す概略平面図である。
【図６】実施形態の蓋を縦管部（ます枠）に装着する状態を順に示す概略平面図であり、図５の後の状態を示す。
【図７】実施形態の蓋の係止爪が係止突条部の係止位置に配置された際の概略部分縦断面図である。
【図８】実施形態の蓋が、縦管部内の内圧上昇時に傾斜する状態を説明する図である。
【図９】実施形態の排水ますの使用状態を説明する図である。
【図１０】実施形態における縦管部の内圧上昇時、蓋が傾斜して、空気を逃す状態を示す図である。
【図１１】実施形態における縦管部の内圧上昇時に、蓋が傾斜して、雨水を逃す状態を示す図である。
【図１２】従来構造の使用状態を説明する図である。
【図１３】従来構造の使用状態を説明する図である。
【図１４】従来構造の使用状態を説明する図である。
【考案を実施するための形態】
【００２７】
以下、本考案の一実施形態を図面に基づいて説明すると、実施形態の取付構造は、図９に示すように、家屋１の屋内側に配設された排水横主管２等から延びる排水管３を接続させた排水ます１０に装着する蓋４０の取付構造である。
【００２８】
排水ます１０は、ポリプロピレンや塩化ビニル等の合成樹脂から形成され、所定の下水本管に連なるます本体１１と、ます本体１１の上部に接続される補助ます（ます枠）としての円筒状の縦管部２０と、を備えて構成されている。ます本体１１には、所定の下水本管等を接続させる受口１２が、配設されている。
【００２９】
なお、実施形態の排水ます１０は、３００〜３５０φ程度の小口径のものとしている。
【００３０】
縦管部２０は、図５，７，８に示すように、円筒状の周壁部２１の上端２２に、蓋４０を装着する円形の開口部２３を設けて構成されている。開口部２３の内周側には、上面を蓋４０の外周縁の下面（支持面）４２を受け止め可能な受面２９とし、かつ、受面２９の上方に蓋４０を収納可能な凹部２４を設けて、内側に突出する係止突条部２５が、全周にわたって配設されている。
【００３１】
係止突条部２５は、上面側に凹溝２６を設けるように、内周縁に上方に突出する突出部２７を配設させており、突出部２７の全周の上面に、パッキン２８を設けて、蓋４０の受面２９を形成している。
【００３２】
蓋４０は、鋳鉄製として、図１〜３に示すように、略円板状の蓋本体４１に、二つの係止爪４５，４５を設けて構成されている。蓋本体４１は、外周縁の下面を、係止突条部２５の受面２９に支持される支持面４２としている。
【００３３】
係止爪４５は、それぞれ、蓋本体４１から下方に延びる略四角柱状の軸部４６と、係止突条部２５の下面３０を係止可能に、軸部４６の下端から屈曲して外方に延びる鉤部４７と、を備えて構成されている。そして、これら二つの係止爪４５は、蓋４０の中心ＣＣを基準とした相互の離隔角度θＳを１８０°未満として配設されている。
【００３４】
そして、この離隔角度θＳや、係止爪４５の軸部４６と鉤部４７との寸法、すなわち、軸部４６の蓋本体４１から突出する長さ寸法ＬＶ（図７参照）や、鉤部４７の軸部４６から突出する突出長さＬＨが、係止突条部２５の寸法形状に対応して、つぎのように、蓋４０を装着できるように、設定されている。
【００３５】
すなわち、これらの係止爪４５，４５は、蓋４０の開口部２３への装着時に、図４のＡや図５のＡ，Ｂに示すように、蓋４０を、開口部２３の中心ＯＣからずれた位置の上方から、開口部２３の開口面ＯＰに略沿わせて、ずれ移動させつつ下降させ、図４のＢ，Ｃや図６のＡ，Ｂに示すように、二つの係止爪４５の鉤部４７を、係止突条部２５の内周側を経て、係止突条部２５の下方に位置させ、さらに、係止突条部２５を係止可能な係止突条部２５の下面３０の下方における係止位置ＲＰに、配置させて、開口部２３に装着可能に設定されている。
【００３６】
さらに、これらの係止爪４５，４５は、装着後の蓋４０の上方への押圧力の作用時、図８や図１０，１１に示すように、係止突条部２５の係止を維持して蓋４０の開口部２３からの外れを規制した状態として、蓋４０を傾斜させつつ、蓋４０における二つの係止爪４５，４５から離れた外周縁の離隔部位４２ａを受面２９から上方へ離脱させるように、配設されている。
【００３７】
実施形態の場合、二つの係止爪４５，４５の蓋４０の中心ＣＣを基準とした離隔角度θＳは、１８０°未満の９０〜１４０°の範囲内としており、さらに、実施形態では、１２０°としている。
【００３８】
また、装着後の蓋４０の上方への押圧力の作用時における蓋の傾斜角度θＣ（図８参照）は、１〜１５°の範囲内とするように設定されており、実施形態では、４°としている。
【００３９】
なお、蓋本体４１の下面には、下方に突出する補強用リブ５０が、十字状に配設されている。補強用リブ５０は、下端面５１を、中心ＣＣ側の下端面５１を平坦面５２とし、外周縁側の下端面５１を蓋本体４１の下面に連なるような傾斜面５３としている。また、この補強用リブ５０は、二つの係止爪４５，４５を対称位置に配置させるように、形成されている。
【００４０】
また、蓋４０の上面側には、蓋４０の中心ＣＣを通って、二つの係止爪４５，４５を対称位置に配置させるように、補強用リブ５０の直上の位置の二箇所に、周囲に凹部４３を設けて、操作用ピン４４が配設されている。これらの操作用ピン４４は、蓋４０をずらして、開口部２３に取り付けたり、取り外したりする際に、所定のフック等の治具を引掛けて、蓋４０を持ち上げつつ移動操作しやすくするために、配設されている。
【００４１】
そして、実施形態では、図４のＡや図５のＡ，Ｂに示すように、蓋４０を、開口部２３の中心ＯＣからずれた位置の上方から、開口部２３の開口面ＯＰに略沿わせて、横方向にずれ移動させつつ下降させる。さらに、図４のＢ，Ｃや図６のＡ，Ｂに示すように、二つの係止爪４５の鉤部４７を、係止突条部２５の内周側を経て、係止突条部２５の下方に位置させて、係止突条部２５を係止可能な係止突条部２５の下面３０の下方における係止位置ＲＰに、配置させれば、蓋４０を、開口部２３に装着することができる。
【００４２】
すなわち、実施形態の取付構造では、単に、二つの係止爪４５，４５側の蓋本体４１の外周縁の近接部位４２ｂを、開口部２３側に部分的に挿入させるように、蓋本体４１を傾斜させつつ、ずらし、かつ、下降させるだけで、簡単に、蓋４０を開口部２３に取り付けることができる
そして、蓋４０の装着後、図１０，１１に示すように、ゲリラ豪雨Ｒ等で下水本管からの逆流により、縦管部２０内の圧力が高まっても、蓋４０が持ち上がるものの、その状態は、図８のＢに示すように、二つの係止爪４５の鉤部４７が、係止突条部２５の下面３０に当接し、その当接部位（係止位置）ＲＰを支点として、係止爪４５から遠い側の蓋本体４１の外周縁の離隔部位４２ａを、部分的に、係止突条部２５の受面２９から上方に離脱させるように、蓋４０を傾斜させる状態となって、その蓋本体４１の外周縁の部位４２ａと受面２９との間から内部の空気Ａや雨水Ｗを外部に逃すことができて、家屋１の屋内側の排水管３側に圧力を掛けることを防止できることから、排水トラップの破封を防止できる。
【００４３】
そしてこの時、蓋４０が傾斜しても、二つの係止爪４５の鉤部４７が、係止突条部２５の下面３０を係止しているため、蓋４０自体は、開口部２３から外れず、縦管部２０内の内圧上昇が収まれば、蓋４０が下降して、蓋本体４１の外周縁の下面（支持面）４２を係止突条部２５の受面２９に当接させることとなり、蓋４０による開口部２３の閉塞状態を維持できる。
【００４４】
また、蓋４０は、単に、上方に引き上げるだけでは、二つの係止爪４５の鉤部４７が、係止突条部２５の下面３０を係止する状態のままであって、簡単に外れず、不用意な外れが防止され、蓋４０の盗難の虞れも生じ難い。
【００４５】
勿論、蓋４０の開口部２３からの取り外しは、装着時と逆の操作として、操作用ピン４４（４４Ｌ）にフック等の治具を引掛けて、二つの係止爪４５から離れた蓋本体４１の外周縁の離隔部位４２ａを持ち上げつつ、開口部２３の開口面ＯＰに沿ってずらせば、二つの係止爪４５が、係止位置ＲＰから離脱して、係止突条部２５の内周側に配置され、さらに、開口部２３から外れて、簡単に、蓋４０を取り外すことができる。
【００４６】
そして、上記の作用は、単に、蓋４０の外周縁近傍に、相互の離隔角度θＳを１８０°未満として、二つの係止爪４５，４５を配設するだけで、達成でき、極めて、簡便に構成することができる。
【００４７】
したがって、実施形態の蓋４０の取付構造では、簡便な構成として、内圧上昇を抑制できるとともに、容易に取り付けることができ、かつ、取付後の不用意な外れを防止することができる。
【００４８】
また、実施形態の蓋４０の取付構造では、二つの係止爪４５が、蓋４０の中心ＣＣを基準とした相互の離隔角度θＳを９０〜１４０°の範囲内の１２０°として、配設されている。
【００４９】
そのため、実施形態では、蓋４０の取付・取外しを容易な状態として、縦管部２０の内圧上昇時に、不要な外れを防止し、安定した係止突条部２５の係止状態を確保して、内部の空気Ａや雨水Ｗを外部に流出可能に、蓋４０を傾斜させて開かせることができる。
【００５０】
すなわち、二つの係止爪４５の相互の離隔角度θＳが１４０°を越えるように、１８０°に接近する場合には、蓋４０の装着時における開口部２３の開口面ＯＰに沿ってずらして、係止爪４５を係止突条部２５の内周側を経て、係止突条部２５の下方に配置させる際、軸部４６からの鉤部４７の突出量が小さくないと（換言すれば、係止爪４５の鉤部４７における係止突条部２５を係止する係止代が小さくないと）、配置できなくなり、そのため、係止爪４５の鉤部４７における係止突条部２５を係止する係止代が小さくなって、安定して、蓋４０を係止突条部２５に係止させておことができない。
【００５１】
また、二つの係止爪４５の相互の離隔角度θＳが９０°未満と小さくなれば、二つの係止爪４５から離れた蓋本体４１の外周縁の離隔部位４２ａを引き上げる際、大きく引き上げることができて、簡単に、蓋４０を開けることができる事態を招いてしまう。
【００５２】
すなわち、二つの係止爪４５から離れた蓋４０の外周縁の離隔部位４２ａを持ち上げる際、二つの係止爪４５に近い側の蓋４０の外周縁の下面における係止突条部２５の受面２９に当接する近接部位４２ｂが、傾斜時の回転中心となり、そして、持ち上げられる蓋４０の傾斜角度θＣは、係止爪４５の鉤部４７が係止突条部２５の下面３０に当接して規制されるまでの角度となる。その際、蓋４０を装着した際の係止爪４５の鉤部４７と係止突条部２５との間の隙間Ｈが同じとしていれば、二つの係止爪４５の離隔角度θＳが９０°以上としている場合に比べて、二つの係止爪４５の離隔角度θＳが９０°未満の場合には、蓋４０の傾斜の回転中心（近接部位）４２ｂから二つの係止爪４５までの距離が短くなり、二つの係止爪４５から離れた蓋４０の外周縁側の離隔部位４２ａが、大きく持ち上がって、蓋４０の傾斜角度θＣが大きくなり、横方向にずらすこと無く、蓋４０を取り外すことができてしまう虞れが生じ、不用意に外れる事態を招いてしまい、好ましくないからである。
【００５３】
そして特に、実施形態では、二つの係止爪４５が、蓋の中心を基準とした相互の離隔角度を９０〜１４０°の範囲内としている場合、装着後の蓋の上方への押圧力の作用時における蓋の傾斜角度を１〜１５°の範囲内の４°として、縦管部２０内の圧力上昇時に的確に空気Ａや雨水Ｗを逃すように蓋４０を開かせ、かつ、不用意な蓋４０の外れを防止することができる。
【００５４】
すなわち、蓋４０が１５°を超えるように傾斜しては、蓋４０の傾斜角度θＣが大きくなり、横方向にずらすこと無く、蓋４０を取り外すことができてしまう虞れが生ずるからである。
【００５５】
また、蓋４０を、開口部２３の開口面ＯＰに略沿ってずらしつつ、開口部２３に取り付けたり、あるいは、取り外すことができても、蓋４０の許容される傾斜角度θＣが１°未満では、装着後の縦管部２０内の内圧上昇時に、空気Ａや雨水Ｗの逃し量を十分確保できず、屋内側に圧力をかけてしまう虞れが生じ、好ましくないからである。
【００５６】
さらに、実施形態の取付構造では、蓋４０が鋳鉄製としている。そのため、蓋４０が重いことから、縦管部２０の周囲に雨水Ｗが溜まっても、軽量な合成樹脂製の蓋より、蓋４０が不用意に流されてしまう虞れが生じない。
【００５７】
また、図１４に示すように、合成樹脂製の蓋７１では、屋外に長期間曝露されていれば、脆くなって、破損してしまうが、蓋４０が、鋳鉄製としていれば、そのような破損の虞れは生じない。
【００５８】
また、実施形態の取付構造では、蓋本体４１の裏面に、補強用リブ５０を突設させている。そのため、蓋４０の曲げ剛性が高まり、重量物が載っても、蓋４０の割れや曲りを防止できる。
【００５９】
なお、実施形態では、補強用リブ５０を十字状に配設させた場合を示したが、曲げ剛性を向上できれば、格子状、同心的な複数の環状、あるいは、三方向以上に中心Ｃから延びる放射状等の種々の形状として、補強用リブを設けてもよい。
【００６０】
また、実施形態では、排水ます１０の開口部２３への蓋４０の取付構造について、説明したが、他に、例えば、３００〜３５０φ程度の小口径のマンホールにおける開口部への蓋の取付構造に、本考案を適用してもよい。
【００６１】
さらに、実施形態では、蓋４０を開口部２３に装着させた際、パッキン２８により、シール性を確保して、開口部２３を閉塞する構造を例示したが、本考案では、排水ますやマンホールの開口部に装着される蓋として、上下に貫通する多数の孔が空いているような、例えば、蓋本体が格子状に形成されている蓋を、使用するようにしてもよい。
【符号の説明】
【００６２】
１０，６０，７０…排水ます、２０…（ます枠）縦管部、２３…開口部、２４…凹部、２５…係止突条部、２９…受面、３０…下面、４０…蓋、４１…蓋本体、４２…支持面、４５…係止爪、４６…軸部、４７…鉤部、５０…補強用リブ、６０・７０…（従来）排水ます、６１・７１…（従来）蓋、
ＯＣ…（開口部の）中心、ＯＰ…（開口部の）開口面、ＣＣ…（蓋の）中心、
ＲＰ…（係止爪の）係止位置、θＳ…離隔角度、θＣ…傾斜角度。
【図１】
0003179743.tif 000003
【図２】
0003179743.tif 000004
【図３】
0003179743.tif 000005
【図４】
0003179743.tif 000006
【図５】
0003179743.tif 000007
【図６】
0003179743.tif 000008
【図７】
0003179743.tif 000009
【図８】
0003179743.tif 000010
【図９】
0003179743.tif 000011
【図１０】
0003179743.tif 000012
【図１１】
0003179743.tif 000013
【図１２】
0003179743.tif 000014
【図１３】
0003179743.tif 000015
【図１４】
0003179743.tif 000016